(57)【特許請求の範囲】
【請求項１】
装置本体を構成する筐体の配置状態に応じたスタイルに変更可能な端末装置であって、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、現在のスタイルを検出し、
前記リフレッシュ制御手段は、前記検出手段によって検出されたスタイルが所定のスタイルの場合に前記リフレッシュ動作を行うように制御する、
ようにしたことを特徴とする端末装置。
【請求項２】
装置本体を構成する筐体の配置状態に応じたスタイルに変更可能な端末装置であって、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、現在の使用状況として、スタイルが変更されていることを検出し、
前記リフレッシュ制御手段は、前記検出手段によってスタイルが変更されていることが検出された場合に前記リフレッシュ動作を行うように制御する、
ようにしたことを特徴とする端末装置。
【請求項３】
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、所定の設置台に装置本体が設置されていることを検出し、
前記リフレッシュ制御手段は、前記検出手段によって設置台に装置本体が設置されていることが検出された場合に前記リフレッシュ動作を行うように制御する、
ようにしたことを特徴とする端末装置。
【請求項４】
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、充電中であることを検出し、
前記リフレッシュ制御手段は、前記検出手段によって充電中であることが検出された場合に前記リフレッシュ動作を行うように制御する、
ようにしたことを特徴とする端末装置。
【請求項５】
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、動作中の機能を検出し、
前記リフレッシュ制御手段は、前記検出手段によって検出された動作中の機能が所定の機能の場合に前記リフレッシュ動作を行うように制御する、
ようにしたことを特徴とする端末装置。
【請求項６】
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、装置本体を構成する筐体の側面に備えられた操作部の操作で所定の機能が起動されたことを検出し、
前記リフレッシュ制御手段は、前記検出手段によって所定の機能が起動されたことが検出された場合に前記リフレッシュ動作を行うように制御する、
ようにしたことを特徴とする端末装置。
【請求項７】
前記リフレッシュ手段による前回のリフレッシュ動作からの経過時間を計時する計時手段を更に備え、
前記リフレッシュ制御手段は、前記検出手段による検出結果及び前記計時手段による計時結果に基づいて前記リフレッシュ動作を行うか否かを制御する、
ようにしたことを特徴とする請求項１乃至６のいずれか１項に記載の端末装置。
【請求項８】
前記第１表示手段とは異なる第２表示手段を更に備え、
この第２表示手段は、主として情報表示用の表示手段であり、
前記第１表示手段は、主として装飾表示用の表示手段である、
ことを特徴とする請求項１乃至７のいずれか１項に記載の端末装置。
【請求項９】
装置本体を構成する筐体の配置状態に応じたスタイルに変更可能な端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、現在のスタイルを検出し、
前記制御する機能は、前記検出する機能によって検出されたスタイルが所定のスタイルの場合に前記リフレッシュ動作を行うように制御する、
ためのプログラム。
【請求項１０】
装置本体を構成する筐体の配置状態に応じたスタイルに変更可能な端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、現在の使用状況として、スタイルが変更されていることを検出し、
前記制御する機能は、前記検出する機能によってスタイルが変更されていることが検出された場合に前記リフレッシュ動作を行うように制御する、
ためのプログラム。
【請求項１１】
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、所定の設置台に装置本体が設置されていることを検出し、
前記制御する機能は、前記検出する機能によって設置台に装置本体が設置されていることが検出された場合に前記リフレッシュ動作を行うように制御する、
ためのプログラム。
【請求項１２】
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、充電中であることを検出し、
前記制御する機能は、前記検出する機能によって充電中であることが検出された場合に前記リフレッシュ動作を行うように制御する、
ためのプログラム。
【請求項１３】
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、動作中の機能を検出し、
前記制御する機能は、前記検出する機能によって検出された動作中の機能が所定の機能の場合に前記リフレッシュ動作を行うように制御する、
ためのプログラム。
【請求項１４】
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、装置本体を構成する筐体の側面に備えられた操作部の操作で所定の機能が起動されたことを検出し、
前記制御する機能は、前記検出する機能によって所定の機能が起動されたことが検出された場合に前記リフレッシュ動作を行うように制御する、
ためのプログラム。
【発明の詳細な説明】
【技術分野】
【０００１】
この発明は、印加電圧に応じて移動する荷電体を利用して表示動作を行う表示手段を備えた端末装置及びプログラムに関する。
【背景技術】
【０００２】
近年、電気泳動現象を利用して表示動作を行う表示手段（電気泳動ディスプレイ装置）が知られている。この表示手段（電気泳動ディスプレイ装置）は、対向する一対の電極の間に、着色された荷電粒子（荷電体）を充填した媒体（マイクロカプセル）が多数配置されてなり、この一対の電極間に電圧が印加されると、印加された電圧に応じた方向に各荷電粒子が移動することで表示を行うようにしたものである。例えば、白色の荷電粒子が当該表示手段の表側に移動すると、その部分が白く表示されることになる。
【０００３】
この種の表示手段では、時間の経過と共に荷電粒子が凝集したり、表示内容によっては一部分に偏ったりしてしまうことがある。このような凝集や偏りが発生すると、電圧を印加しても充分に荷電粒子を移動させることができず、表示ムラやコントラスト低下の原因となってしまう。そこで、従来では、荷電粒子の凝集や偏りを解消するために、向きの異なる強めの電圧（交番電圧）を交互に印加することによってリフレッシュ動作を行うようにした技術が知られている。例えば、特許文献１では、前回の表示からの経過時間、前回のリフレッシュ動作からの経過時間、前回のリフレッシュ動作から表示された回数、周囲の温度に応じてリフレッシュ動作を制御するようにしている。
【先行技術文献】
【特許文献】
【０００４】
【特許文献１】特開２００７−１８７９３８号公報
【発明の概要】
【発明が解決しようとする課題】
【０００５】
しかしながら、上述した先行技術におけるリフレッシュ動作は、交番電圧を印加して荷電粒子を移動させるため、リフレッシュ動作中、ユーザには表示の"ちらつき"として認識されてしまう。例えば、白黒の２色表示を行う表示手段のリフレッシュ動作として、全面黒表示を２５０ミリ秒間、行った後、全面白表示を２５０ミリ秒間、行う場合に、全面黒表示と全面白表示によって、ユーザには表示全体がちらついて見えてしまうという不具合があった。
【０００６】
この発明の課題は、印加電圧に応じて移動する荷電体を利用して表示動作を行う表示手段へのリフレッシュ動作を現在の使用状況に応じて制御できるようにすることである。
【課題を解決するための手段】
【０００７】
本発明の第１の観点に係る端末装置は、
装置本体を構成する筐体の配置状態に応じたスタイルに変更可能な端末装置であって、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、現在のスタイルを検出し、
前記リフレッシュ制御手段は、前記検出手段によって検出されたスタイルが所定のスタイルの場合に前記リフレッシュ動作を行うように制御する、
ようにしたことを特徴とする。
本発明の第２の観点に係る端末装置は、
装置本体を構成する筐体の配置状態に応じたスタイルに変更可能な端末装置であって、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、現在の使用状況として、スタイルが変更されていることを検出し、
前記リフレッシュ制御手段は、前記検出手段によってスタイルが変更されていることが検出された場合に前記リフレッシュ動作を行うように制御する、
ようにしたことを特徴とする。
本発明の第３の観点に係る端末装置は、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、所定の設置台に装置本体が設置されていることを検出し、
前記リフレッシュ制御手段は、前記検出手段によって設置台に装置本体が設置されていることが検出された場合に前記リフレッシュ動作を行うように制御する、
ようにしたことを特徴とする。
本発明の第４の観点に係る端末装置は、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、充電中であることを検出し、
前記リフレッシュ制御手段は、前記検出手段によって充電中であることが検出された場合に前記リフレッシュ動作を行うように制御する、
ようにしたことを特徴とする。
本発明の第５の観点に係る端末装置は、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、動作中の機能を検出し、
前記リフレッシュ制御手段は、前記検出手段によって検出された動作中の機能が所定の機能の場合に前記リフレッシュ動作を行うように制御する、
ようにしたことを特徴とする。
本発明の第６の観点に係る端末装置は、
印加電圧に応じて移動する荷電体を利用して表示動作を行う第１表示手段と、
この第１表示手段に所定の交番電圧を印加することによってリフレッシュ動作を行うリフレッシュ手段と、
現在の使用状況を検出する検出手段と、
この検出手段による検出結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段は、使用状況として、装置本体を構成する筐体の側面に備えられた操作部の操作で所定の機能が起動されたことを検出し、
前記リフレッシュ制御手段は、前記検出手段によって所定の機能が起動されたことが検出された場合に前記リフレッシュ動作を行うように制御する、
ようにしたことを特徴とする。
本発明の第７の観点に係るプログラムは、
装置本体を構成する筐体の配置状態に応じたスタイルに変更可能な端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、現在のスタイルを検出し、
前記制御する機能は、前記検出する機能によって検出されたスタイルが所定のスタイルの場合に前記リフレッシュ動作を行うように制御する。
本発明の第８の観点に係るプログラムは、
装置本体を構成する筐体の配置状態に応じたスタイルに変更可能な端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、現在の使用状況として、スタイルが変更されていることを検出し、
前記制御する機能は、前記検出する機能によってスタイルが変更されていることが検出された場合に前記リフレッシュ動作を行うように制御する。
本発明の第９の観点に係るプログラムは、
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、所定の設置台に装置本体が設置されていることを検出し、
前記制御する機能は、前記検出する機能によって設置台に装置本体が設置されていることが検出された場合に前記リフレッシュ動作を行うように制御する。
本発明の第１０の観点に係るプログラムは、
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、充電中であることを検出し、
前記制御する機能は、前記検出する機能によって充電中であることが検出された場合に前記リフレッシュ動作を行うように制御する。
本発明の第１１の観点に係るプログラムは、
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、動作中の機能を検出し、
前記制御する機能は、前記検出する機能によって検出された動作中の機能が所定の機能の場合に前記リフレッシュ動作を行うように制御する。
本発明の第１２の観点に係るプログラムは、
端末装置を制御するコンピュータに対して、
印加電圧に応じて移動する荷電体を利用して表示動作を行う第１表示手段に対して、所定の交番電圧を印加することによってリフレッシュ動作を行わせる機能と、
使用状況を検出する機能と、
前記使用状況に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
を実現させ、
前記検出する機能は、使用状況として、装置本体を構成する筐体の側面に備えられた操作部の操作で所定の機能が起動されたことを検出し、
前記制御する機能は、前記検出する機能によって所定の機能が起動されたことが検出された場合に前記リフレッシュ動作を行うように制御する。
【発明の効果】
【０００８】
この発明によれば、印加電圧に応じて移動する荷電体を利用して表示動作を行う表示手段へのリフレッシュ動作を現在の使用状況に応じて適切に制御することができ、リフレッシュ動作による表示の"ちらつき"をユーザに極力見せないようにすることができる。
【図面の簡単な説明】
【０００９】
【図１】端末装置として適用した携帯電話機が利用可能な通信ネットワークシステムを示したブロック図。
【図２】携帯電話機１の外観図で、（Ａ）は操作部筐体１Ａと表示部筐体１とを折り畳んで閉じた状態のクローズスタイルを示し、（Ｂ）は折り畳みを開いた状態のオープンスタイルを示し、（Ｃ）はオープンスタイルにおいて表示部筐体１Ｂを１８０°回転させてから折り畳んで閉じた状態のビュースタイルを示した図。
【図３】携帯電話機１の基本的な構成要素を示したブロック図。
【図４】条件記憶部Ｍ１を説明するための図。
【図５】装飾用データ記憶部Ｍ２を説明するための図。
【図６】電源投入に伴って実行開始される携帯電話機の全体動作を示したフローチャート。
【図７】図６に続く動作を示したフローチャート。
【図８】リフレッシュ制御処理（図７のステップＡ２４）を詳述するためのフローチャート。
【図９】図８に続く動作を示したフローチャート。
【発明を実施するための形態】
【００１０】
以下、図１〜図９を参照して本発明の実施形態を説明する。
この実施形態は、端末装置として携帯電話機に適用した場合を例示したもので、図１は、この携帯電話機が利用可能な通信ネットワークシステムを示したブロック図である。
携帯電話機１は、音声通話機能（電話機能）、電子メール機能、インターネット接続機能（Ｗｅｂアクセス機能）、カメラ機能、テレビ機能などが備えられており、最寄りの基地局２Ａ、交換機２Ｂから無線通信網（移動体通信網）２に接続されると、この無線通信網２を介して他の携帯電話機１との間で通話可能状態となる。
【００１１】
また、携帯電話機１は、無線通信網２、メールサーバ（図示せず）を介して電子メールの送受信が可能となり、また、無線通信網２を介してインターネット３に接続されると、Ｗｅｂサイトをアクセスして閲覧可能な状態となる。一方、携帯電話機１は、充電ケーブル（図示せず）を介して家庭用コンセントなどの電源（図示せず）に接続されたり、充電ケーブルに接続されている設置台６（充電台）に設置（接続）されたりすると、その内蔵電池（二次電池）への充電が行われる。また、携帯電話１は、通信ケーブル４を介してＰＣ（パーソナルコンピュータ）５などに直接接続されたり、通信ケーブル４に接続されている設置台６（充電台）に設置（接続）されたりすると、ＰＣ５との間でデータの通信を行う。なお、設置台６は、充電機能及び通信機能を備えた設置台に限らず、充電機能及び通信機能のいずれか一方の機能を備えた設置台でもよいし、どちらの機能も備えない設置台（単なる設置台）であってもよい。
【００１２】
図２は、携帯電話機１の外観図である。
携帯電話機１は、その機器本体（装置本体）を構成する操作部筐体１Ａと表示部筐体１Ｂとを折り畳み開閉自在及び回動自在にヒンジ部１Ｃを介して連結した２軸ヒンジタイプの電話機である。このヒンジ部１Ｃには操作部筐体１Ａと表示部筐体１Ｂとを折り畳み開閉するための開閉用ヒンジ軸が設けられているほか、この開閉用ヒンジ軸と略直交して、一方の筐体を他方の筐体に対して回動するための回動用ヒンジ軸とが設けられており、このヒンジ部１Ｃを介して操作部筐体１Ａと表示部筐体１Ｂとは折り畳み開閉自在及び回動自在に連結されている。
【００１３】
このような２軸ヒンジタイプの携帯電話機１は、操作部筐体１Ａと表示部筐体１Ｂとが、どのように連結されているかに応じて携帯電話機１の形態を複数のスタイル（クローズスタイル、オープンスタイル、反オープンスタイル、ビュースタイル）に変更可能なもので、図２（Ａ）は、操作部筐体１Ａと表示部筐体１とを折り畳んで閉じた状態のクローズスタイルを示している。また、図２（Ｂ）は、このクローズスタイルにおいて操作部筐体１Ａと表示部筐体１Ｂとの折り畳みを開いた状態のオープンスタイルを示し、図２（Ｃ）は、このオープンスタイルにおいて表示部筐体１Ｂを１８０°回転（反転）させてから折り畳んで閉じた状態のビュースタイルを示している。
【００１４】
操作部筐体１Ａの内側の面（クローズスタイルの状態において表示部筐体１Ｂと対向する面）には、数値／文字キー、カーソルキーなどの主操作キーＭＫが設けられ、また、操作部筐体１Ａの側面側には複数のサイドキーＳＫが設けられている。なお、サイドキーＳＫは、現在のスタイルに応じてその機能が異なるようにしている。すなわち、サイドキーＳＫは、クローズスタイルにおいては着信音の発生を禁止するマナーモードに設定するための設定キーとして使用され、オープンスタイルにおいてはカメラ撮影が可能なカメラ機能用のキーとして使用され、ビュースタイルにおいてはテレビ放送を受信視聴可能なテレビ機能用のキーとして使用される。
【００１５】
表示部筐体１Ｂの内側の面（クローズスタイルの状態において操作部筐体１Ａと対向する面）には、メイン画面ＭＤが設けられ、また、その反対の背面側には、サブ画面ＳＤが設けられている。メイン画面ＭＤは、表示部筐体１Ｂの内面略全域に相当する大きさの画面であり、主として情報表示用の画面である。すなわち、メイン画面ＭＤは、高精細液晶あるいは有機ＥＬなどを使用した構成で、数値情報、文字情報、画像情報などを高精細に表示する。なお、クローズスタイルにおいて内側に位置するようになるメイン画面ＭＤは、ビュースタイルにおいては外側に位置するようになる。従って、メイン画面ＭＤは、主として図２（Ｂ）のオープンスタイルあるいは図２（Ｃ）のビュースタイルにおいて使用される。
【００１６】
サブ画面ＳＤは、表示部筐体１Ｂの背面略全域に相当する大きさの画面であり、主として装飾用データを表示する装飾表示用の画面である。このサブ画面ＳＤは、電気泳動現象を利用したマイクロカプセル方式の電子ペーパ（電気泳動ディスプレイの一例）であり、対向する一対の電極の間に、着色された荷電粒子（荷電体）が充填された媒体が多数配置されたもので、この一対の電極間に電圧が印加されると、この媒体内の荷電粒子が印加された電圧に応じた方向に移動することで表示を行う構成となっている。
【００１７】
このサブ画面ＳＤに対しては、その荷電粒子の凝集や偏りを解消するために、その一対の電極の間に、向きの異なる逆極性の強めのパルス電圧（交番電圧）を交互に印加することによって、例えば、２５０ミリ秒間の全面黒表示と２５０ミリ秒間の全面白表示とを交互に切り換えるリフレッシュ動作を所定時間（例えば、１秒間）行うようにしている。なお、上述した交番電圧のパルス間隔は、２５０ミリ秒に限らず、３００ミリ秒など任意であり、また、リフレッシュ動作を所定時間（１秒間）行う場合に限らず、このリフレッシュ動作の実行時間も２秒あるいは１／２秒間など任意である。
【００１８】
この場合、リフレッシュ動作を行うか否かは、携帯電話機１の現在の使用状況に応じて制御される。ここで、使用状況とは、スタイル変更中、特定スタイル、充電中、設置台に設置中、特定機能の動作中などである。言い換えれば、現在の使用状況に応じてリフレッシュ動作が行われる場合とは、サブ画面ＳＤが隠れるスタイルの場合、サブ画面ＳＤを使用しない可能性の高い場合、ユーザがサブ画面ＳＤを見ない可能性の高い場合などである。なお、上述したリフレッシュ動作の実行時間を固定値とせず、例えば、特定の使用状況（例えば、スタイルや充電中など）では２秒間、スタイル変更中では１秒あるいは１／２秒間などのように使用状況に応じて変えるようにしてもよい。
【００１９】
図３は、携帯電話機１の基本的な構成要素を示したブロック図である。
中央制御部１１は、ＲＯＭ１２内の各種のプログラムに応じてこの携帯電話機１の全体動作を制御する中央演算処理装置などを有している。ＲＯＭ１２は、プログラム領域とデータ領域とを有し、このプログラム領域には、後述する図６〜図９に示す動作手順に応じて本実施例を実現するためのプログラムが格納されている。ＲＡＭ１３は、ワーク領域を有する内部メモリで、後述する条件記憶部Ｍ１、装飾用データ記憶部Ｍ２のほか、リフレッシュ履歴記憶部Ｍ３、表示内容記憶部Ｍ４などが設けられている。リフレッシュ履歴記憶部Ｍ３は、サブ画面ＳＤに対してリフレッシュ動作を実行した際の現在日時（リフレッシュ実行日時）などをリフレッシュ履歴情報として順次記憶するメモリである。また、表示内容記憶部Ｍ４はサブ画面ＳＤに表示されている表示内容を一時退避するためのメモリである。
【００２０】
無線通信送受信部１４は、無線部、ベースバンド部、多重分離部などを備え、例えば、通話機能、電子メール機能、インターネット接続機能、データ通信機能の動作時に、最寄りの基地局２Ａとの間でデータの送受信を行うもので、通話機能の動作時にはベースバンド部の受信側から信号を取り込んで受信ベースバンド信号に復調した後、音声信号処理部１５を介して送話スピーカＳＰから音声出力させ、また、受話マイクＭＣからの入力音声データを音声信号処理部１５から取り込み、送信ベースバンド信号に符号化した後、ベースバンド部の送信側に与えてアンテナから発信出力させる。
【００２１】
表示部１６は、上述したメイン画面ＭＤ、サブ画面ＳＤを有し、それらの表示動作を制御するもので、サブ画面ＳＤに対して所定の交番電圧を印加することによってリフレッシュ動作を行わせる。操作部１７は、主操作キーＭＫ、サイドキーＳＫを有し、中央制御部１１は、ダイヤル入力、文字入力、コマンド入力などの入力信号に応じた処理を実行する。ＲＴＣ（リアルタイムクロックモジュール）１８は、時計部を構成するもので、中央制御部１１は、ＲＴＣ１８から現在日時を取得する。報知部１９は、サウンドスピーカ１９Ａ、ＬＥＤ（発光ダイオード）１９Ｂ、振動モータ１９Ｃを備え、着信時に駆動されて着信報知を行うほか、アラーム報知時にも駆動される。
【００２２】
カメラ撮像部２０は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路などを有している。テレビ放送受信部２１は、携帯電話などの携帯受信機向けの地上波デジタルテレビ放送を受信するもので、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。
【００２３】
充電検出部２２は、携帯電話機１が充電ケーブルを介して家庭用コンセントなどの電源に接続されたり、充電ケーブルに接続されている設置台６（充電台）に設置（接続）されたりした際に、その内蔵電池（二次電池）への充電が行われていることを検出する。設置台検出部２３は、携帯電話機１が設置台６に設置されたことを検出する。スタイル検出部２４は、装置本体を構成する２つの筐体（表示部筐体１Ａ、操作部筐体１Ｂ）の配置状態に応じて変化する各スタイルを検出可能なもので、例えば、磁気センサ、マイクロスイッチ、機械的スイッチなどを有する構成で、中央制御部１１は、スタイル検出センサ２４からの各検出信号に基づいて装置本体の各スタイル（クローズスタイル、オープンスタイル、反オープンスタイル、ビュースタイル）を判別するようにしている。
【００２４】
図４は、条件記憶部Ｍ１を説明するための図である。
条件記憶部Ｍ１は、現在の使用状況に基づいてリフレッシュ動作を行うか否かを制御するための条件を記憶するもので、サブ画面ＳＤが隠れていること、サブ画面ＳＤを使用しない可能性が高いこと、サブ画面ＳＤを見ない可能性が高いことなどを条件にリフレッシュ動作を行わせるための条件として各「項目」を有している。「項目」は、"スタイル変更"、"スタイル"、"充電"、"設置台"、"機能"、"サイドキー機能"を有し、「内容」は、それに対応する「項目」の内容を説明するもので、"スタイル変更"は、スタイル変更中であることを条件にリフレッシュ動作を行わせることを示し、また、"スタイル"は、現在のスタイルがビュースタイルあるいはオープンスタイルであることを条件にリフレッシュ動作を行わせることを示している。
【００２５】
"充電"は、充電検出部２２によって充電中であることが検出されている場合に、充電中を条件にリフレッシュ動作を行わせることを示し、また、"設置台"は、設置台検出部２３によって設置台６に設置中であることが検出されている場合に、設置中を条件にリフレッシュ動作を行わせることを示している。"機能"は、テレビ機能が動作中、カメラ機能が動作中であることを条件にリフレッシュ動作を行わせることを示している。
【００２６】
また、"サイドキー機能"は、サイドキーがカメラ機能用のキーとして使用されることを条件にリフレッシュ動作を行わせることを示している。「設定フラグ」は、上述した各「項目」のうち現在有効な「項目」を指定するフラグで、ユーザ操作によって任意に設定されたものである。なお、フラグ"１"は、現在有効な条件を示し、図示の例では、"スタイル"に対応する「項目」の「設定フラグ」に"１"が設定され、その他の「項目」の「設定フラグ」に"０"が設定されている場合であるが、複数の「項目」に対応付けてその「設定フラグ」に"１"を設定するようにしてもよい。
【００２７】
図５は、装飾用データ記憶部Ｍ２を説明するための図である。
装飾用データ記憶部Ｍ２は、サブ画面（電気泳動ディスプレイ装置）ＳＤに表示される装飾用データとして、例えば、花柄模様、幾何学模様などを記憶するもので、「データＩＤ」、「データ名」、「実データ」、「表示フラグ」の各項目を有している。「表示フラグ」は、現在、どの装飾用データがサブ画面ＳＤに表示されているかを指定するもので、フラグ"１"は、現在表示中の装飾用データを示している。なお、この実施形態においては、サブ画面ＳＤに表示される装飾用データを１つとして場合を例示したが、サブ画面ＳＤを複数に分割し、各分割画面に異なる装飾用データをそれぞれ表示させるようにしてもよい。
【００２８】
次に、この実施形態における携帯電話機の動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００２９】
図６及び図７は、電源投入に伴って実行開始される携帯電話機１の全体動作を示したフローチャートである。
先ず、中央制御部１１は、電源を投入する電源オン操作が行われると（ステップＡ１でＹＥＳ）、電源供給を開始して所定のメモリなどを初期化する電源オン処理を実行した後（ステップＡ２）、待受処理を行って待受画像を表示させながら電話着信を待ち受ける待受状態となる（ステップＡ３）。そして、装飾用データ記憶部Ｍ２から「表示フラグ」が"１"の装飾用データを読み出してサブ画面ＳＤに表示させる（ステップＡ４）。なお、常に、装飾用データを固定的に表示せず、例えば、所定時間毎（例えば、１２時間毎）に別の装飾用データを読み出してサブ画面ＳＤに切り替え表示させるようにしてもよい。この場合、新たに切り替え表示された装飾用データに対応する「表示フラグ」を"１"とすればよい。
【００３０】
また、待受状態において所定の設定操作が行われると（ステップＡ５でＹＥＳ）、操作に応じた設定処理を実行し（ステップＡ６）、条件記憶部Ｍ１に対する設定操作であれば、その「内容」、「設定フラグ」を変更する設定処理を行い、また、装飾用データ記憶部Ｍ２に対する設定操作であれば、「データ名」、「実データ」、「表示フラグ」の新規登録、削除、変更などの設定処理を行う。また、待受状態において任意の機能を起動させる機能起動操作が行われると（ステップＡ７でＹＥＳ）、この機能起動操作はサイドキーＳＫの操作によるものかを調べ（ステップＡ８）、サイドキーＳＫの操作によるものでなければ（ステップＡ８でＮＯ）、操作キーに対応する所定の機能を起動させる（ステップＡ１１）。例えば、メールキーの操作に対応してメール機能を起動させる。
【００３１】
また、機能起動操作がサイドキーＳＫの操作によるものであれば（ステップＡ８でＹＥＳ）、サイドキーＳＫが操作されたことを示すためにサイドキーフラグ（図示せず）を"１"にセットした後（ステップＡ９）、スタイル検出センサ２４をアクセスして現在のスタイルを検出し（ステップＡ１０）、現在のスタイルに応じた所定機能を起動させる（ステップ１１）。すなわち、クローズスタイルでサイドキーＳＫが操作されると、マナーモード設定機能を起動させ、オープンスタイルでサイドキーＳＫが操作されると、カメラ撮影を起動させ、ビュースタイルでサイドキーＳＫが操作されると、テレビ機能を起動させる。一方、現在動作中の機能を指定してその機能の終了を指示する終了操作が行われたときには（ステップＡ１２でＹＥＳ）、サイドキーフラグ（図示せず）を"０"にリセットする処理を実行した後（ステップＡ１３）、現在動作中の指定機能を終了させる（ステップＡ１４）。
【００３２】
また、待受状態において充電ケーブル（図示せず）が直接接続されたり、充電ケーブルに接続されている設置台６に設置（接続）されたりすることによって充電検出部２２で充電開始が検出されると（ステップＡ１５でＹＥＳ）、内蔵電池（二次電池）への充電動作を開始させる（ステップＡ１６）。また、これとは逆に充電ケーブルの接続が外されたり、設置台６から外されたりすることによって充電検出部２２で充電終了が検出されると（ステップＡ１７でＹＥＳ）、その時点で充電動作を終了させる（ステップＡ１８）。
【００３３】
また、無線通信送受信部１４からの着信有り信号に基づいて着信を検出したときには（図７のステップＡ１９でＹＥＳ）、その着信応答操作（オフフック操作）の有無を調べ（ステップＡ２０）、オフフック操作が行われたときには、通話可能状態とする通話処理を行うが（ステップＡ２１）、オフフック操作が行われなければ（ステップＡ２０でＮＯ）、着信音を発生させるほか、サブ画面ＳＤに着信情報を表示させる（ステップＡ２２）。
この着信情報は、着信があったことを示すメッセージのほか、着信日時、着信相手の名前と電話番号などであり、サブ画面ＳＤに表示されている装飾用データを消去して着信情報を切り換え表示させてもよいが、表示中の装飾用データの上に着信情報を重ね合わせて合成表示させてもよく、更に、サブ画面ＳＤの下側などの特定エリア内に着信情報を挿入表示させてもよい。
【００３４】
他方、待受状態において現在の使用状況を検出するタイミング（例えば、５秒に１回のタイミング）となったときには（ステップＡ２３でＹＥＳ）、現在の使用状況に応じてサブ画面ＳＤのリフレッシュ動作を行うリフレッシュ制御処理に移り（ステップＡ２４）、また、電源オフ操作が行われたときには（ステップＡ２５でＹＥＳ）、電源オフ処理に移る（ステップＡ２６）。また、音量調整操作、発信操作など、その他の操作が行われたときには（ステップＡ２７でＹＥＳ）、音量調整処理、発信処理など、その操作に対応した処理を実行する（ステップＡ２８）。
【００３５】
図８及び図９は、リフレッシュ制御処理（図７のステップＡ２４）を詳述するためのフローチャートである。
先ず、中央制御部１１は、リフレッシュ履歴記憶部Ｍ３から前回のリフレッシュ実行日時を読み出し、前回のリフレッシュ動作から所定時間（例えば、３０分）が経過したか、つまり、３０分間隔のリフレッシュ実行タイミングに達したかを調べ（ステップＢ１）、前回のリフレッシュ実行日時から３０分以内であれば（ステップＢ１でＮＯ）、不必要（過剰）なリフレッシュ動作を避けるために図８及び図９のフローから抜けるが、３０分が経過していれば（ステップＢ１でＹＥＳ）、条件記憶部Ｍ１から「設定フラグ」が"１"の「項目」をリフレッシュ動作の実行条件として読み出す（ステップＢ２）。
【００３６】
いま、条件記憶部Ｍ１から「設定フラグ」が"１"の「項目」を読み出した場合に、その項目が"スタイル変更"であれば（ステップＢ３でＹＥＳ）、スタイル検出センサ２４からの検出信号に基づいてスタイルの変更途中であるかを検出し（ステップＢ４）、スタイルの変更途中でなければ（ステップＢ５でＮＯ）、リフレッシュ動作の実行条件に該当しないので、図８及び図９のフローから抜けるが、スタイルの変更途中であれば（ステップＢ５でＹＥＳ）、リフレッシュ動作の実行に移る（ステップＢ６〜Ｂ１３）。
【００３７】
先ず、サブ画面ＳＤに装飾用データが表示されているかを調べ（ステップＢ６）、装飾用データの表示中であれば（ステップＢ６でＹＥＳ）、サブ画面ＳＤを構成する一対の電極間に逆極性の強めのパルス電圧（交番電圧）を交互に印加するリフレッシュ動作を開始させる（ステップＢ７）。そして、ＲＴＣ１８から現在日時を今回のリフレッシュ実行日時として取得して、リフレッシュ履歴記憶部Ｍ３に記憶させた後（ステップＢ８）、装飾用データ記憶部Ｍ２をアクセスして、「表示フラグ」が"０"の装飾用データを読み出してサブ画面ＳＤに表示させる（ステップＢ９）。
【００３８】
つまり、今回のリフレッシュ動作を行う前に表示されていた装飾用データに代えて、例えば、「表示フラグ」が"０"の各装飾用データのうち、「表示フラグ」が"１"の装飾用データに次に記憶されている「表示フラグ」が"０"の装飾用データを新たに表示させたり、「表示フラグ」が"０"の各装飾用データの中からランダムに選択した装飾用データを新たに表示させたりする。なお、今回のリフレッシュ動作の前後において装飾用データを切り換え表示させた場合、中央制御部１１は、この切り換え表示に応じて「表示フラグ」の切り換えも併せて行い、新たに表示される装飾用データの「表示フラグ」を"１"に変更し、表示されない装飾用データの「表示フラグ」を"０"に変更する。
【００３９】
また、サブ画面ＳＤに装飾用データが表示されていなければ（ステップＢ６でＮＯ）、現在の表示内容（例えば、着信情報）を表示内容記憶部Ｍ４に記憶させて一時退避させた後（ステップＢ１０）、サブ画面ＳＤを構成する一対の電極間に逆極性の強めのパルス電圧（交番電圧）を交互に印加するリフレッシュ動作を開始させる（ステップＢ１１）。そして、ＲＴＣ１８から現在日時を今回のリフレッシュ実行日時として取得して、リフレッシュ履歴記憶部Ｍ３に記憶させた後（ステップＢ１２）、表示内容記憶部Ｍ４に一時退避させておいた表示内容（例えば、着信情報）を読み出してサブ画面ＳＤに再表示させる（ステップＢ１３）。
【００４０】
一方、条件記憶部Ｍ１から読み出した「設定フラグ」が"１"の「項目」が"スタイル"であれば（ステップＢ１４でＹＥＳ）、スタイル検出センサ２４からの検出信号に基づいて現在のスタイルを検出し（ステップＢ１５）、その「項目」の「内容」で示されているスタイル（ビュースタイルあるいはオープンスタイル）に該当しているかを調べる（ステップＢ１６）。つまり、リフレッシュ動作の実行条件として現在のスタイルがビュースタイルあるいはオープンスタイルに該当しているかを調べ、その「内容」に該当しないスタイルであれば（ステップＢ１６でＮＯ）、リフレッシュ動作の実行条件に該当しないために図８及び図９のフローから抜けるが、その「内容」に該当するスタイルであれば（ステップＢ１６でＹＥＳ）、上述したリフレッシュ動作の実行に移る（ステップＢ６〜Ｂ１３）。
【００４１】
また、条件記憶部Ｍ１から読み出した「設定フラグ」が"１"の「項目」が"充電"であれば（図９のステップＢ１７でＹＥＳ）、充電検出部２２をアクセスして充電検出を行った結果（ステップＢ１８）、充電中でなければ（ステップＢ１９でＮＯ）、リフレッシュ動作の実行条件に該当しないために図８及び図９のフローから抜けるが、充電中であれば（ステップＢ１９でＹＥＳ）、上述したリフレッシュ動作の実行に移る（図８のステップＢ６〜Ｂ１３）。また、「設定フラグ」が"１"の「項目」が"設置台"であれば（ステップＢ２０でＹＥＳ）、設置台検出部２３アクセスして設置検出を行った結果（ステップＢ２１）、設置台６に設置されていなければ（ステップＢ２２でＮＯ）、リフレッシュ動作の実行条件に該当しないために図８及び図９のフローから抜けるが、設置台６に設置されていれば（ステップＢ２２でＹＥＳ）、上述したリフレッシュ動作の実行に移る（図８のステップＢ６〜Ｂ１３）。
【００４２】
また、条件記憶部Ｍ１から読み出した「設定フラグ」が"１"の「項目」が"機能"であれば（ステップＢ２３でＹＥＳ）、現在動作中の機能を検出し（ステップＢ２４）、その「項目」の「内容」で示されている機能（テレビ機能あるいはカメラ機能）に該当しているかを調べる（ステップＢ２５）。いま、その「内容」に該当しない機能（テレビ機能、カメラ機能以外の機能）であれば（ステップＢ２５でＮＯ）、リフレッシュ動作の実行条件に該当しないために図８及び図９のフローから抜けるが、その「内容」に該当する機能であれば（ステップＢ２５でＹＥＳ）、上述したリフレッシュ動作の実行に移る（図８のステップＢ６〜Ｂ１３）。
【００４３】
また、「設定フラグ」が"１"の「項目」が"機能"でなければ（ステップＢ２３でＮＯ）、その「項目」は"サイドキー機能"であると判断してステップＢ２６に移り、現在動作中の機能を検出するほか、上述したサイドキーフラグは"１"であるかを調べる（ステップＢ２７）。つまり、現在動作中の機能はサイドキーＳＫの操作によって動作された機能であるかを調べ、サイドキーＳＫの操作で動作された機能であれば（ステップＢ２７でＹＥＳ）、現在動作中の機能は、当該「項目」の「内容」で示されている機能（カメラ機能）に該当しているかを調べる（ステップＢ２８）。
【００４４】
いま、現在動作中の機能がサイドキーＳＫで動作された機能でない場合（ステップＢ２７でＮＯ）、あるいはサイドキーＳＫの操作で動作された機能であっても「内容」に該当しない機能（カメラ機能以外の機能）の場合には（ステップＢ２８でＮＯ）、リフレッシュ動作の実行条件に該当しないために図８及び図９のフローから抜けるが、条件に該当する「内容」の機能であれば（ステップＢ２８でＹＥＳ）、上述したリフレッシュ動作の実行に移る（図８のステップＢ６〜Ｂ１３）。
【００４５】
以上のように、印加電圧に応じて移動する荷電粒を利用して表示動作を行うサブ画面ＳＤを備えた携帯電話機１において、中央制御部１１は、当該携帯電話機１の現在の使用状況に応じてサブ画面ＳＤへのリフレッシュ動作を制御するようにしたので、サブ画面ＳＤのリフレッシュ動作を行うか否かを現在の使用状況に応じて適切に制御することができ、リフレッシュ動作による表示の"ちらつき"をユーザに極力見せないようにすることができる。
【００４６】
サブ画面ＳＤに表示されている内容が表示内容記憶部Ｍ４に記憶されている状態において、この表示内容記憶部Ｍ４の内容をリフレッシュ動作後に読み出してサブ画面ＳＤに再表示させるようにしたので、リフレッシュ動作の前後で表示内容を変えず、ユーザに気付かれることなくリフレッシュ動作を行うことができる。この場合、リフレッシュ動作を行う前にサブ画面ＳＤに表示されている内容を表示内容記憶部Ｍ４に記憶させて一時退避させたので、少なくてもリフレッシュ動作の期間中だけ当該表示内容を記憶しておけば足りる。
【００４７】
また、リフレッシュ動作を行う前にサブ画面ＳＤに表示されていた内容とは異なる内容をリフレッシュ動作後にサブ画面ＳＤに表示させるようにしたので、荷電粒子の凝集や偏りの発生を防ぐ観点からも常に同一内容を表示するより一層効果的なものとなるほか、リフレッシュ動作に合わせて表示内容を適宜変更することができる。特に、装飾用の画像などの場合、自動で表示内容を変えることで、娯楽性を高めることもできる。
【００４８】
前回のリフレッシュ動作からの経過時間と、現在の使用状況とからリフレッシュ動作を行うか否かを制御するようにしたので、リフレッシュ動作を行うのに適した端末装置の使用状況であっても、前回のリフレッシュ動作からの経過時間が短い場合には、リフレッシュ動作を行わないようにすることができ、無駄なリフレッシュ動作を省略することが可能となる。
【００４９】
現在のスタイルが所定のスタイルの場合には、リフレッシュ動作を行うように制御するようにしたので、例えば、サブ画面ＳＤが隠れるようなスタイルの場合に、ユーザに気付かれることなく、リフレッシュ動作を行うことが可能となる。
【００５０】
また、スタイルが変更されている場合には、リフレッシュ動作を行うように制御するようにしたので、スタイルが変更されている状態では、ユーザがサブ画面ＳＤを見ていない、あるいは利用していないことが想定できるので、ユーザに不利益を与えずに、リフレッシュ動作を行うことが可能となる。
【００５１】
設置台６に装置本体が設置されていることが検出された場合には、リフレッシュ動作を行うように制御するようにしたので、設置台６に設置されている状態では、ユーザがサブ画面ＳＤを見ていない、あるいは利用していないことが想定できるので、ユーザに不利益を与えずに、リフレッシュ動作を行うことが可能となる。
【００５２】
充電中であることが検出された場合には、リフレッシュ動作を行うように制御するようにしたので、充電中の状態では、ユーザがサブ画面ＳＤを見ていない、あるいは利用していないことが想定できるので、ユーザに不利益を与えずに、リフレッシュ動作を行うことが可能となる。
【００５３】
現在動作中の機能が所定の機能の場合には、リフレッシュ動作を行うように制御するようにしたので、リフレッシュ動作を行うのに適した機能が動作中の場合に、リフレッシュ動作を行うことができる。例えば、サブ画面ＳＤが利用されない機能の場合に、ユーザに気付かれることなく、リフレッシュ動作を行うことが可能となる。
【００５４】
サイドキーＳＫの操作で所定の機能が起動された場合には、リフレッシュ動作を行うように制御するようにしたので、サイドキーＳＫの操作時には、ユーザがサブ画面ＳＤを見ていない、あるいは利用していないことが想定できるので、ユーザに不利益を与えずに、リフレッシュ動作を行うことが可能となる。
【００５５】
主として情報表示用のメイン画面ＭＤのほか、主として装飾表示用のサブ画面ＳＤを有し、このサブ画面ＳＤに対してリフレッシュ動作を行うようにしたので、装飾用データなどを表示する補助的な画面を電子泳動ディスプレイによって構成することができる。
【００５６】
なお、上述した実施形態においては、電子泳動ディスプレイとして、電子ペーパを例示したが、これに限らず、電子泳動現象を利用して表示動作を行う電子泳動ディスプレイであればよい。
なお、上述した実施形態においては、現在の使用状況に基づいてリフレッシュ動作を行うか否かを制御するための条件として、"スタイル変更"、"スタイル"、"充電"、"設置台"、"機能"、"サイドキー機能"を例示したが、リフレッシュ動作を行うか否かを制御するための条件としては、これに限らず、例えば、"機能"の場合、その条件内容としてテレビ機能、カメラ機能のほか、発信機能、録画・録音再生機能を含めるようにしてもよい。すなわち、発信機能、録画・録音再生機能の動作中にはサブ画面ＳＤを使用しない可能性やサブ画面ＳＤを見ない可能性が高いので、それらの動作中にリフレッシュ動作を行うようにしてもよい。また、携帯電話機の表面に接触センサを配置しておき、人体が接触していない状態が所定時間以上継続していることを条件にリフレッシュ動作を行ったり、無操作が所定時間以上継続していることを条件にリフレッシュ動作を行ったりするようにしてもよい。
【００５７】
なお、上述した実施形態においては、リフレッシュ動作を行う前にサブ画面ＳＤに表示されている内容を表示内容記憶部Ｍ４に記憶させて一時退避させたが、実データを退避する代わりに、サブ画面ＳＤにどのような内容が表示されているかをフラグなどによって記憶するようにしてもよい。
【００５８】
上述した実施形態においては、サブ画面ＳＤに表示される内容として、装飾用データのほか、着信情報を表示する場合を示したが、現在日時や電池残量などをサブ画面ＳＤに簡易表示するようにしてもよい。
また、サブ画面ＳＤを電子泳動ディスプレイで構成する場合に限らず、メイン画面ＭＤを電子泳動ディスプレイで構成するようにしてもよい。
【００５９】
その他、携帯電話機に限らず、例えば、印加電圧に応じて移動する荷電粒子を使用して表示動作を行う表示画面を備えたＰＣ、ＰＤＡ、デジタルカメラ、音楽再生機などの端末装置であっても同様に適用可能である。
【００６０】
上記の実施形態の一部又は全部は、以下の付記のようにも記載されうるが、以下には限られない。
【００６１】
（付記１）
印加電圧に応じて移動する荷電体を利用して表示動作を行う第１表示手段と、
この第１表示手段に所定の交番電圧を印加することによってリフレッシュ動作を行うリフレッシュ手段と、
前回の前記リフレッシュ動作からの経過時間を計時する計時手段と、
現在の使用状況を検出する検出手段と、
前記検出手段による検出結果及び前記計時手段による計時結果に基づいて前記リフレッシュ動作を行うか否かを制御するリフレッシュ制御手段と、
前記リフレッシュ動作を開始する前に前記第１表示手段に表示されている内容を記憶する記憶手段と、
前記検出手段が検出した使用状況に応じて、前記リフレッシュ動作後に、前記記憶手段に記憶されている内容と、前記記憶手段に記憶されている内容とは異なる内容と、のうちいずれかの内容を前記第１表示手段に表示させる表示制御手段と、
を具備し、
前記検出手段による検出結果に応じて、前記リフレッシュ動作の実行間隔を変える、
ようにしたことを特徴とする端末装置。
【００６２】
（付記２）
装置本体を構成する筐体の配置状態に応じたスタイルに変更可能な端末装置であって、
前記検出手段は、使用状況として、現在のスタイルを検出し、
前記リフレッシュ制御手段は、前記検出手段によって検出されたスタイルが所定のスタイルの場合に前記リフレッシュ動作を行うように制御する、
ようにしたことを特徴とする付記１記載の端末装置。
【００６３】
（付記３）
装置本体を構成する筐体の配置状態に応じたスタイルに変更可能な端末装置であって、
前記検出手段は、現在の使用状況として、スタイルが変更されていることを検出し、
前記リフレッシュ制御手段は、前記検出手段によってスタイルが変更されていることが検出された場合に前記リフレッシュ動作を行うように制御する、
ようにしたことを特徴とする付記１記載の端末装置。
【００６４】
（付記４）
前記検出手段は、使用状況として、所定の設置台に装置本体が設置されていることを検出し、
前記リフレッシュ制御手段は、前記検出手段によって設置台に装置本体が設置されていることが検出された場合に前記リフレッシュ動作を行うように制御する、
ようにしたことを特徴とする付記１記載の端末装置。
【００６５】
（付記５）
前記検出手段は、使用状況として、充電中であることを検出し、
前記リフレッシュ制御手段は、前記検出手段によって充電中であることが検出された場合に前記リフレッシュ動作を行うように制御する、
ようにしたことを特徴とする付記１記載の端末装置。
【００６６】
（付記６）
前記検出手段は、使用状況として、動作中の機能を検出し、
前記リフレッシュ制御手段は、前記検出手段によって検出された動作中の機能が所定の機能の場合に前記リフレッシュ動作を行うように制御する、
ようにしたことを特徴とする付記１記載の端末装置。
【００６７】
（付記７）
前記検出手段は、使用状況として、装置本体を構成する筐体の側面に備えられた操作部の操作で所定の機能が起動されたことを検出し、
前記リフレッシュ制御手段は、前記検出手段によって所定の機能が起動されたことが検出された場合に前記リフレッシュ動作を行うように制御する、
ようにしたことを特徴とする付記１記載の端末装置。
【００６８】
（付記８）
前記第１表示手段とは異なる第２表示手段を更に備え、
この第２表示手段は、主として情報表示用の表示手段であり、
前記第１表示手段は、主として装飾表示用の表示手段である、
ことを特徴とする付記１記載の端末装置。
【００６９】
（付記９）
コンピュータに対して、
印加電圧に応じて移動する荷電体を利用して表示動作を行う第１表示手段に対して、所定の交番電圧を印加することによってリフレッシュ動作を行わせる機能と、
前回の前記リフレッシュ動作からの経過時間を計時する機能と、
使用状況を検出する機能と、
前記使用状況及び前記経過時間に基づいて前記リフレッシュ動作を行うか否かを制御する機能と、
前記リフレッシュ動作を開始する前に前記第１表示手段に表示されている内容を記憶する機能と、
前記使用状況に応じて、前記リフレッシュ動作後に、前記リフレッシュ動作を開始する前に前記記憶する機能で記憶された内容と、前記記憶する機能で記憶された内容とは異なる内容と、のうちいずれかの内容を前記第１表示手段に表示させる機能と、
前記使用状況に応じて、前記リフレッシュ動作の実行間隔を変える機能と、
を実現させるためのプログラム。
【符号の説明】
【００７０】
１  携帯電話機
４  充電ケーブル
６  設置台
１１  中央制御部
１２  ＲＯＭ
１３  ＲＡＭ
１４  無線通信送受信部
１６  表示部
１７  操作部
１８  ＲＴＣ
２０  カメラ撮像部
２２  充電検出部
２３  設置台検出部
２４  スタイル検出センサ
ＳＫ  サイドキー
ＭＤ  メイン画面
ＳＤ  サブ画面
Ｍ１  条件記憶部
Ｍ２  装飾用データ記憶部
Ｍ３  リフレッシュ履歴記憶部
Ｍ４  表示内容記憶部
【図１】
0005557356.tif 000002
【図２】
0005557356.tif 000003
【図３】
0005557356.tif 000004
【図４】
0005557356.tif 000005
【図５】
0005557356.tif 000006
【図６】
0005557356.tif 000007
【図７】
0005557356.tif 000008
【図８】
0005557356.tif 000009
【図９】
0005557356.tif 000010